(57)【特許請求の範囲】
【請求項１】
ベースを介して脚によって支持され、水平配置可能に構成された座席シートを有する乳幼児用椅子であって、
側板と、上記ベースに設けられた長穴をスライドして上記ベースに対して外側方向へ移動可能な基台と、上記基台にヒンジピンを介して結合したガイドシャフトと、上記側板に固定され上記ガイドシャフトに外嵌したスライドブロックと、上記ガイドシャフトと上記スライドブロックとの間に装着され上記スライドブロックを上記基台へ接触させるよう当該スライドブロックを付勢する圧縮コイルスプリングと、を備え、
上記側板は基部に突起を有し、
上記ベースは上記突起が嵌合する孔を有し、
上記基台は上記スライドブロックが当接する上面と側面とを有し、
上記スライドブロックが基台の上面に当接し、上記側板の突起が上記ベースの孔に嵌合することで、上記側板は直立姿勢に保持され、
上記側板が直立姿勢の状態で上記基台を上記ベースの長穴に沿って外側方向へ移動させて上記側板の突起をベースの孔から離脱し、上記圧縮コイルスプリングの弾力に抗してスライドブロックを引き上げたまま上記側板を上記ヒンジピンを介して上記座席シートの外側へ回動して上記側板が水平になった後、上記側板を上記圧縮コイルスプリングの弾力によって上記ベース側へ復帰させて上記スライドブロックを上記基台の側面に当接させることで、上記側板が水平に保持されることを特徴とする乳幼児用椅子。
【請求項２】
ベースを介して脚によって支持され水平配置可能に構成された座席シートと、上記ベースの側部に設けられた張出し部と、を有する乳幼児用椅子であって、
側板と、上記側板の下端部にヒンジを介して結合した基板と、上記側板に付設したパッドと、を備え、
上記側板が上記座席シートと上記ベースとの間に上下動可能に装着され、
上記ヒンジのヒンジピンが上記座席シートと上記ベースとの間に位置するとき、上記側板は上記座席シートと上記ベースとに挟まれて直立姿勢に保持され、
上記側板が直立姿勢に保持された状態で当該側板を引き上げて上記ヒンジピンが上記座席シートと上記ベースとの間から外れて位置するとき、直立姿勢の上記側板を上記ヒンジピンを介して上記座席シートの外側へ回動させ、さらに、当該側板に設けた上記パッドを上記張出し部の上面に当接させることで、当該側板が水平に保持されることを特徴とする、乳幼児用椅子。
【請求項３】
前記基板の下部は前記座席シートと係合する係合部を構成し、
前記座席シートと前記ベースとで挟まれた直立姿勢の前記側板を引き上げると前記基板の上記係合部が前記座席シートに係合することを特徴とする、請求項２に記載の乳幼児用椅子。
【請求項４】
座席シートの両側に前記側板を有することを特徴とする、請求項１〜３のいずれか１項に記載の乳幼児用椅子。
【発明の詳細な説明】
【０００１】
【発明の属する技術分野】
本発明は、乳幼児用の椅子および寝台等として用いられる乳幼児用椅子に関するものである。
【０００２】
【従来の技術】
この種の椅子として、たとえば「ベビーラック・アンド・チェア」等と称し、乳幼児の昼寝時のベビーベッドになったり、あるいは食事や遊び時のチェアになるようにしたものが知られている。
【０００３】
このような乳幼児用椅子は、具体的な一つの構成としては、乳幼児が着座する座席シートを有し、この座席シートはベース部材を介して脚に支持される。脚はＸ字状のリンク部材で構成され、開脚角度を変化させることでベース部材、したがって座席シートを上下動させ、これによりその座席シートの高さを調節することができるようになっている。また、座席シートはリクライニング機能を備え、ベッド状に水平配置可能に構成されている。
【０００４】
【発明が解決しようとする課題】
しかしながら、上記したような従来の乳幼児用椅子において、水平配置された座席シートに乳幼児を寝かせたまま、たとえばオムツ等を交換する際、そのオムツを置く場所や乳幼児が足を動かすスペースを十分に確保することができなかった。そのためオムツ交換等の作業に不便で手間がかかり、使用性あるいは使い勝手等の点で改善の余地があった。
【０００５】
本発明はこのような点に鑑み、座席シートまわりの使用スペースを有効に拡大し、使用性に優れた乳幼児用椅子を提供することを目的とする。
【０００６】
【課題を解決するための手段】
本発明は、上記目的を達成するため、ベースを介して脚によって支持され、水平配置可能に構成された座席シートを有する乳幼児用椅子であって、側板と、ベースに設けられた長穴をスライドしてベースに対して外側方向へ移動可能な基台と、基台にヒンジピンを介して結合したガイドシャフトと、側板に固定されガイドシャフトに外嵌したスライドブロックと、ガイドシャフトとスライドブロックとの間に装着されスライドブロックを基台へ接触させるようスライドブロックを付勢する圧縮コイルスプリングと、を備え、側板は基部に突起を有し、ベースは突起が嵌合する孔を有し、基台はスライドブロックが当接する上面と側面とを有し、スライドブロックが基台の上面に当接し、側板の突起がベースの孔に嵌合することで、側板は直立姿勢に保持され、側板が直立姿勢の状態で基台をベースの長穴に沿って外側方向へ移動させて側板の突起をベースの孔から離脱し、圧縮コイルスプリングの弾力に抗してスライドブロックを引き上げたまま側板をヒンジピンを介して座席シートの外側へ回動して側板が水平になった後、側板を圧縮コイルスプリングの弾力によってベース側へ復帰させてスライドブロックを基台の側面に当接させることで、側板が水平に保持されるように構成したものである。
【０００７】
また、本発明は、上記目的を達成するため、ベースを介して脚によって支持され水平配置可能に構成された座席シートと、ベースの側部に設けられた張出し部と、を有する乳幼児用椅子であって、側板と、側板の下端部にヒンジを介して結合した基板と、側板に付設したパッドと、を備え、側板が座席シートとベースとの間に上下動可能に装着され、ヒンジのヒンジピンが座席シートとベースとの間に位置するとき、側板は座席シートとベースとに挟まれて直立姿勢に保持され、側板が直立姿勢に保持された状態で当該側板を引き上げてヒンジピンが座席シートとベースとの間から外れて位置するとき、直立姿勢の側板をヒンジピンを介して座席シートの外側へ回動させ、さらに、側板に設けたパッドを張出し部の上面に当接させることで、当該側板が水平に保持されるように構成したものである。さらに、前記側板は、好ましくは、前記座席シートの両側に配置される。
【０００８】
本発明によれば、座席シートの側部に付設された側板を、ヒンジを介して座席シート外側へ回動して傾倒させ、この側板をほぼ水平に保持することができる。このように水平保持された側板により、座席シートの側部に使用スペースが設定される。この状態で座席シートに乳幼児を寝かせてオムツ等を交換する際、そのオムツを側板上に置くスペースを確保することができる。また、側板を水平保持することで、乳幼児が足を動かすスペースを確保することができ、使用性あるいは使い勝手等の向上を図ることができる。
【０００９】
【発明の実施の形態】
以下、図面に基づき、本発明による乳幼児用椅子の好適な実施の形態を説明する。
【００１０】
図１は、本発明に係る乳幼児用椅子の全体構成を示している。
ここでまず、この実施形態における乳幼児用椅子の基本構成を概略説明する。図１において乳幼児用椅子１０は、後述する脚によって支持され、水平配置可能に構成された座席シート１１を有する。そして、キャスタ１４を有する左右一対の前脚１２と、キャスタ１４を有する左右一対の後脚１３を備え、座席シート１１はベース１５を介して前脚１２および後脚１３によって支持される。
【００１１】
座席シート１１は、乳幼児が着座するための座床部１１ａと背当て部１１ｂとステップ部１１ｃとを備えている。また、図示されていないリクライニング機構により背当て部１１ｂが前後に回動するとともに、背当て部１１ｂの動作に連動してステップ部１１ｃが回動するように構成される。図１においては、リクライニング機構により背当て部１１ｂを倒して、図示のように水平配置されている。なお、座席シート１１には乳幼児が着座した際にその乳幼児を固定保持するシートベルト１６等が装備される。
【００１２】
前脚１２および後脚１３は支点１７を介して相互にＸ字状に結合し、それぞれの上端部は、ベース１５側に設けられた結節部１８，１９にてベース１５側と結合している。この場合、いずれかの結節部１８，１９において前脚１２または後脚１３はスライド可能に結合し、これにより前脚１２および後脚１３がＸリンクを構成するようにしてもよい。このようにＸリンクを構成する前脚１２および後脚１３が開脚または閉脚することで（図１、矢印Ａ）、ベース１５、したがって座席シート１１を上下動させ、これにより座席シート１１の高さを調節することができる。
【００１３】
なお、左右の前脚１２は連結桿２０により、また左右の後脚１３は連結桿２１により、それぞれ相互に連結される。このように座席シート１１はベース１５を介して、Ｘリンクを構成する４本の脚で安定して支持され、高さ調節とリクライニング機能を使って所望の形態をとることができる。また、各キャスタ１４にはロックもしくはストッパ機構が付設され、適宜移動しあるいは所望位置で静止することができるようになっている。
【００１４】
さて、本発明の乳幼児用椅子１０において、座席シート１１の外側へ傾倒可能な側板２２が備えられ、この側板２２がほぼ水平に保持されることで座席シート１１の側部に使用スペースが設定される。側板２２は、ヒンジを介して座席シート１１の側部に回動可能に付設される。また、側板２２をほぼ水平に保持する保持手段が備えられている。
【００１５】
この実施形態では図２にも示されるように、側板２２はたとえば概略台形状を呈し、所定強度を有する平板で構成される。側板２２はヒンジピン２３のまわりに回動可能に支持されるが、この場合、図３にも示したように基台２４とガイドシャフト２５は、ヒンジピン２３を介してピン結合する。基台２４は、ベース１５側に設けられた長穴２６とスライド可能に係合する係合部２４ａを有し、ベース１５に対して外側方向にのみ移動可能（図２（Ｂ）、矢印Ｂ）である。
【００１６】
ガイドシャフト２５には、側板２２に固定されたスライドブロック２７が外嵌し、両者の間に圧縮コイルスプリング２８が装着されている（図３）。圧縮コイルスプリング２８の弾力によってスライドブロック２７は常時、基台２４と接触を保つように付勢される。また、圧縮コイルスプリング２８の弾力に抗して、スライドブロック２７を引き上げることで、基台２４から離間させることができるようになっている（図３（Ｂ）、矢印Ｃ）。
【００１７】
基台２４は、スライドブロック２７がそれぞれ当接する第１の当接面２４ｂ（上面）と第２の当接面２４ｃ（側面）を有し、常態では図２（Ｂ）のようにスライドブロック２７が第１の当接面２４ｂに当接することで、側板２２はほぼ直立姿勢になる。なお、第１の当接面２４ｂおよび第２の当接面２４ｃは、直交配置されている。ここで、基台２４およびスライドブロック２７は、本発明における側板２２の保持手段を構成する。
【００１８】
また、側板２２の基部には、この例ではスライドブロック２７の両側至近位置に２つの位置決め固定用の突起２２ａが突設されるとともに、ベース１５には突起２２ａが嵌合する孔１５ａが形成される。突起２２ａと孔１５ａの嵌合により側板２２を所定の位置に位置決めするようになっている。
【００１９】
本発明の乳幼児用椅子は以上のように構成されており、つぎに本発明による作用を説明する。
常態では、図２（Ｂ）のように側板２２は、スライドブロック２７が第１の当接面２４ｂに当接し、また突起２２ａが孔１５ａに嵌合することにより、座席シート１０の側部でほぼ直立姿勢に保持される。
【００２０】
側板２２を使用する時、まず図４（Ａ）のように基台２４を長穴２６に沿ってスライドさせ、これにより側板２２が直立姿勢のまま、矢印のようにベース１５に対して外側方向に移動する。このとき側板２２の突起２２ａはベース１５の孔１５ａから離脱する。
つぎに、図４（Ｂ）のように圧縮コイルスプリング２８の弾力に抗して、スライドブロック２７を引き上げることで、基台２４から離間させる。
【００２１】
続いて、スライドブロック２７、すなわち、側板２２を引き上げたまま、図５（Ａ）のように側板２２を、ヒンジピン２３を介して座席シート１１の外側へ回動して傾倒させる。
そして、側板２２がほぼ水平になったところで、図５（Ｂ）のように側板２２を圧縮コイルスプリング２８の弾力によって、矢印のようにベース１５側へ復帰させる。これによりスライドブロック２７が第２の当接面２４ｃに当接し、側板２２は水平に保持される。
【００２２】
上記のように座席シート１１の両側で水平に保持された側板２２（図１、二点鎖線参照）によれば、座席シート１１の両側部に使用スペースが設定される。つまり、座席シート１１に乳幼児を寝かせてオムツ等を交換する際、そのオムツを側板２２上に置くスペースを確保することができる。また、側板２２を水平保持することで、乳幼児が足を動かすスペースを確保することができる。
【００２３】
なお、側板２２の使用後、上述した動作とは逆の動作で側板２２を元の配置状態に復帰させることができる。
【００２４】
つぎに、第１の実施形態と実質的に同一または対応する部材には同一符号を用いて、本発明の第２の実施形態を説明する。
図６は、第２の実施形態に係る乳幼児用椅子１０の全体構成を示している。この第２の実施形態における乳幼児用椅子１０の基本構成は、前述した第１の実施形態の場合と実質的に同様である。
【００２５】
この例では、図７に示したように側板２２はその下端部で、ヒンジ２９を介して基板３０と結合している。基板３０は座席シート１１とベース１５との間に所定ストロークだけ上下動可能（図７（Ｂ）、矢印Ｄ）に装着される。基板３０の下部は鍵型に形成され、座席シート１１と係合する係合部３０ａを構成する。側板２２の両側にはヒンジ３２を介して、水平保持手段としてのストッパ３１が付設されている。ストッパ３１の下端部は、図においてほぼ水平となるように形成され、ベース１５と当接する当接部３１ａを構成する。
【００２６】
この例では図６に示すように、ベース１５の側部にボックス状の張出し部３３を有し、側板２２には該張出し部３３に対応してパッド３４が付設されている。本例ではパッド３４は帯状のゴム材等により形成され、後述するように側板２２が水平保持された際、張出し部３３の上面に当接するようになっている。
【００２７】
上記構成において、つぎに第２の実施形態における作用を説明する。
常態では、図７（Ｂ）のように側板２２は、基板３０が座席シート１１とベース１５の間に装着されることにより、座席シート１１の側部でほぼ直立姿勢に保持される。
【００２８】
側板２２の使用時、まず図８（Ａ）のように側板２２を直立姿勢のまま、矢印のように引き上げる。このとき基板３０の係合部３０ａが、座席シート１１の適所に係合する。
つぎに、図８（Ｂ）のようにストッパ３１をヒンジ３２を介して、矢印のように回動させる。この場合、ストッパ３１の回動角度としては典型的には、９０°程度が好ましい。
【００２９】
続いて、側板２２を引き上げたまま、図８（Ｃ）のように、ヒンジピン２９を介して座席シート１１の外側へ回動して傾倒させる。
そして、側板２２がほぼ水平になったところで、図８（Ｄ）のようにストッパ３１の当接部３１ａがベース１５の外側面と当接する。なお、このときにパッド３４が張出し部３３の上面に当接するが、これにより側板２２は水平に保持される。
【００３０】
第２の実施形態において、上記のように座席シート１１の両側で水平に保持された側板２２により、座席シート１１の両側部に使用スペースが設定される。この例でも、側板２２によりオムツ等を置くスペースを確保し、また乳幼児が足を動かすスペースを確保することができる。
また、この例では特に水平保持手段の構成を簡素化したことで、操作が容易になり取扱性の向上を図ることができる。
【００３１】
つぎに、第１または第２の実施形態と実質的に同一または対応する部材には同一符号を用いて、本発明の第３の実施形態を説明する。
図９は、第３の実施形態に係る乳幼児用椅子１０の全体構成を示している。この第３の実施形態における乳幼児用椅子１０の基本構成は、前述した第１あるいは第２の実施形態の場合と実質的に同様である。
【００３２】
この例では図１０に示したように、側板２２はその下端部で、ヒンジ２９を介して基板３０と結合している。基板３０は座席シート１１とベース１５の間に所定ストロークだけ上下動可能（図１０（Ｂ）、矢印Ｅ）に装着される。基板３０の下部は鍵型に形成され、座席シート１１と係合する係合部３０ａを構成する。また、この例では張出し部３３に対応して側板２２に付設されたパッド３４は、係合部３０ａとともに水平保持手段として機能し、パッド３４を張出し部３３の上面に当接することで、側板２２が水平保持されるようになっている。
【００３３】
上記構成において、つぎに第３の実施形態における作用を説明する。
常態では図１０（Ｂ）のように側板２２は、基板３０が座席シート１１とベース１５の間に装着されることにより、座席シート１１の側部でほぼ直立姿勢に保持される。
【００３４】
側板２２の使用時、まず図１１（Ａ）のように側板２２を直立姿勢のまま、矢印のように引き上げる。このとき基板３０の係合部３０ａが、座席シート１１の適所に係合する。
つぎに、側板２２を引き上げたまま、図１１（Ｂ）のようにヒンジピン２９を介して座席シート１１の外側へ回動して傾倒させる。
そして、側板２２がほぼ水平になったところで、図１１（Ｃ）のようにパッド３４が張出し部３３の上面に当接し、これにより側板２２は水平に保持される。
【００３５】
第３の実施形態において、上記のように座席シート１１の両側で水平に保持された側板２２により、座席シート１１の両側部に使用スペースが設定される。この例でも、側板２２によりオムツ等を置くスペースが確保され、また乳幼児が足を動かすスペースが確保され得る。また、この例では特に水平保持手段の構成がさらに簡素化されている。
【００３６】
以上、本発明を実施の形態について説明したが、本発明は上記実施の形態にのみ限定されるものでなく、本発明の範囲内で種々の変更等が可能であり、上記実施形態と同様な作用効果を得ることができる。
たとえば、側板２２を座席シート１１の両側に一対設ける例を説明したが、必要に応じていずれかの片側一方にのみ設けるようにしてもよい。また、側板２２自体の形態は、図示例の場合の他に種々の形状等を採用することができる。
【００３７】
【発明の効果】
以上説明したように本発明によれば、この種の乳幼児用椅子において座席シートの側部に水平保持された側板により、使用スペースが設定され、その上にオムツ等を置くことができ、あるいは乳幼児が足を動かすスペースを確保することができるので、使用性あるいは使い勝手等の向上を図ることができる。このように本発明によれば、座席シートまわりの使用スペースが有効に拡大されて、使用性に優れた乳幼児用椅子が実現される。
【図面の簡単な説明】
【図１】本発明の乳幼児用椅子の全体構成を示す斜視図である。
【図２】本発明の乳幼児用椅子における側板まわりを示す正面図および側面図である。
【図３】（Ａ）及び（Ｂ）は本発明に係る側板の保持手段の構成および作用を示す断面図である。
【図４】（Ａ）及び（Ｂ）は本発明における側板の作用を示す側面図である。
【図５】（Ａ）及び（Ｂ）は本発明における側板の作用を示す側面図である。
【図６】本発明による乳幼児用椅子の第２の実施形態における全体構成を示す斜視図である。
【図７】本発明の乳幼児用椅子の第２の実施形態における側板まわりを示す正面図および側面図である。
【図８】（Ａ）乃至（Ｄ）は本発明の乳幼児用椅子の第２の実施形態における作用を示側面図である。
【図９】本発明による乳幼児用椅子の第３の実施形態における全体構成を示す斜視図である。
【図１０】本発明の乳幼児用椅子の第３の実施形態における側板まわりを示す正面図および側面図である。
【図１１】（Ａ）乃至（Ｃ）は本発明の乳幼児用椅子の第３の実施形態における作用を示す側断面図である。
【符号の説明】
１０    乳幼児用椅子
１１    座席シート
１２    前脚
１３    後脚
１４    キャスタ
１５    ベース
２２    側板
２３    ヒンジピン
２４    基台
２５    ガイドシャフト
２６    長穴
２７    スライドブロック
２８    圧縮コイルスプリング
２９    ヒンジ
３０    基板
３０ａ  係合部
３１    ストッパ
３１ａ  当接部
３２    ヒンジ
３３    張出し部
３４    パッド
【図１】
0004930869.tif 000002
【図２】
0004930869.tif 000003
【図３】
0004930869.tif 000004
【図４】
0004930869.tif 000005
【図５】
0004930869.tif 000006
【図６】
0004930869.tif 000007
【図７】
0004930869.tif 000008
【図８】
0004930869.tif 000009
【図９】
0004930869.tif 000010
【図１０】
0004930869.tif 000011
【図１１】
0004930869.tif 000012